(57)【要約】【課題】時刻表にしたがって運行している交通システムを利用して目的地に向かう際のユーザの利便性を向上させる。【解決手段】案内装置２００は、出発地から目的地までの経路情報を準備する経路準備部２３１ａ（１００）と、時刻表情報を準備する時刻表準備部２３１ｂ（１８０）と、現在位置情報を取得するための現在位置取得部２０１と、ユーザに携帯され、情報を出力することができる出力部２０２と、を備える。時刻管理部２３２は、ユーザが次に乗るべき輸送手段が出発する第１の利用駅にユーザが到着する第１の予想到着時刻を、現在位置情報と、経路情報とに基づいて計算する。第１の予想到着時刻と経路情報と時刻表情報とに基づいて、ユーザが次に乗るべき輸送手段が第１の利用駅を出発する第１の出発時刻を特定する。第１の利用駅および第１の出発時刻を出力部２０２に出力させる。【選択図】図１
2012056576.tif 000002
【特許請求の範囲】
【請求項１】
案内装置であって、
出発地から目的地までの経路であって、時刻表にしたがって輸送手段が運行される路線を含む経路の位置を表す経路情報を準備する経路準備部と、
前記時刻表の情報である時刻表情報を準備する時刻表準備部と、
全地球測位システムを利用して、現在位置を表す現在位置情報を取得するための現在位置取得部と、
ユーザに携帯され、情報を出力することができる出力部と、
前記経路に含まれる前記路線においてユーザが次に乗るべき輸送手段が出発する第１の利用駅に前記ユーザが到着する第１の予想到着時刻を、前記現在位置情報と、前記経路情報とに基づいて計算し、前記第１の予想到着時刻と前記経路情報と前記時刻表情報とに基づいて、前記ユーザが次に乗るべき輸送手段が前記第１の利用駅を出発する第１の出発時刻を特定し、前記第１の利用駅および前記第１の出発時刻を前記出力部に出力させる時刻管理部と、を備える、案内装置。
【請求項２】
請求項１記載の案内装置であって、さらに、
少なくとも前記現在位置の周辺の地図を表す地図情報を準備する地図情報準備部を備え、
前記出力部は、画像を表示することができる表示部を備え、
前記時刻管理部は、前記地図情報と、前記経路情報と、前記現在位置情報とに基づいて、前記現在位置が含まれる地図と、前記現在位置が含まれる前記経路の少なくとも一部の位置と、前記現在位置と、を重ねて前記表示部に表示する、案内装置。
【請求項３】
請求項１または２記載の案内装置であって、
前記出力部は、音声と振動との少なくとも一方で前記ユーザに注意を促すことができ、
前記時刻管理部は、前記第１の予想到着時刻から所定時間だけ前の時刻を経過した場合には、前記出力部を使用して音声と振動との少なくとも一方で前記ユーザに注意を促す、案内装置。
【請求項４】
請求項１ないし３のいずれかに記載の案内装置であって、
前記時刻管理部は、前記第１の出発時刻を前記出力部に出力させた後、
新たに取得された現在位置情報と前記経路情報とに基づいて、新たに前記第１の利用駅への第１の予想到着時刻を計算し、
前記新たに計算された第１の予想到着時刻と前記時刻表情報とに基づいて、前記ユーザが次に乗るべき輸送手段が前記第１の利用駅を出発する第１の出発時刻を新たに計算し、
前記新たな第１の出発時刻を前記出力部に出力させる、案内装置。
【請求項５】
請求項１ないし４のいずれかに記載の案内装置であって、
前記出力部によって前記第１の出発時刻が前記出力された後、前記現在位置と前記路線との少なくとも一方に関する所定の条件が満たされた場合に、
前記経路準備部は、新たに取得された現在位置情報に基づく現在位置から目的地まで移動するための経路であって、前記路線を含む経路の位置を表す経路情報を新たに準備し、
前記時刻管理部は、
前記新たな経路情報の経路に含まれる路線においてユーザが次に乗るべき輸送手段が出発する新たな第１の利用駅に前記ユーザが到着する新たな第１の予想到着時刻を、前記新たな現在位置情報と前記新たな経路情報とに基づいて計算し、
前記新たな第１の予想到着時刻と前記新たな経路情報と前記時刻表情報とに基づいて、前記ユーザが次に乗るべき輸送手段が前記新たな第１の利用駅を出発する新たな第１の出発時刻を特定し、
前記新たな第１の利用駅および前記新たな第１の出発時刻を前記出力部に出力させる、案内装置。
【請求項６】
請求項５記載の案内装置であって、
前記所定の条件は、前記経路上の一つの地点を含む所定の領域内に、所定の時間以上、前記現在位置が留まったことを含む、案内装置。
【請求項７】
請求項５記載の案内装置であって、
前記所定の条件は、前記経路を含む所定の領域外に、前記現在位置が存在することを含む、案内装置。
【請求項８】
請求項５記載の案内装置であって、さらに、
前記経路に含まれる前記路線の少なくとも一部が利用不能である旨の事故情報を、外部から受けとることができる事故情報取得部を備え、
前記所定の条件は、前記事故情報取得部を介して前記事故情報を受信したことを含み、
前記経路準備部は、前記新たな経路情報を準備する際に、前記新たに取得された現在位置情報と前記事故情報とに基づく、前記路線のうち前記利用不能である区間を含まない前記経路の位置を表す前記新たな経路情報を準備する、案内装置。
【請求項９】
請求項１ないし８のいずれかに記載の案内装置であって、
前記出力部は、画像を表示することができる表示部を備え、
前記時刻管理部は、
前記第１の出発時刻よりも後に前記第１の利用駅を出発する輸送手段であって、前記ユーザが次に乗るべき前記輸送手段の代替となりうる輸送手段の前記第１の利用駅からの出発時刻である第１の代替出発時刻を、前記第１の出発時刻と前記経路情報と前記時刻表情報とに基づいて計算し、
前記第１の代替出発時刻を前記第１の出発時刻とともに前記表示部に表示させ、
前記第１の出発時刻を前記第１の代替出発時刻よりも強調して表示させる、案内装置。
【請求項１０】
請求項１ないし９のいずれかに記載の案内装置であって、
前記時刻管理部は、
前記第１の利用駅から前記ユーザが乗るべき前記輸送手段が、前記経路において乗り換えのためにユーザが降りるべき第２の利用駅に到着する第２の予想到着時刻を、前記現在位置情報と、前記経路情報とに基づいて計算し、
前記第２の予想到着時刻と前記経路情報と前記時刻表情報とに基づいて、前記ユーザが乗り換えるべき輸送手段が前記第２の利用駅を出発する第２の出発時刻を特定し、
前記第２の利用駅および前記第２の出発時刻を前記出力部に出力させる、案内装置。
【請求項１１】
請求項１０記載の案内装置であって、
前記出力部は、画像を表示することができる表示部を備え、
前記時刻管理部は、
前記第１の利用駅と前記第２の利用駅の間にある駅であって、前記ユーザが次に乗るべき前記輸送手段が止まらない駅を表示せず、
前記第１の出発時刻とともに前記第１の利用駅を前記表示部に表示し、
前記第２の出発時刻とともに前記第２の利用駅を前記表示部に表示する、案内装置。
【請求項１２】
請求項１０記載の案内装置であって、
前記時刻管理部は、前記出力部に、前記第１の出発時刻を前記第２の出発時刻よりも強調して表示させる、案内装置。
【請求項１３】
請求項１ないし１１のいずれかに記載の案内装置であって、
前記出力部は、画像を表示することができる表示部を備え、
前記経路準備部は、前記経路に含まれる前記路線において前記ユーザが次に乗るべき輸送手段が停まる停止駅と、前記停止駅が、改札内に所定の設備を有しているか否かを表す駅設備情報を含む前記経路情報を準備し、
前記時刻管理部は、前記駅設備情報に基づいて、前記停止駅を表す表示とともに、前記停止駅が改札内に前記所定の設備を有している場合には、所定の表示を前記表示部に表示させる、案内装置。
【請求項１４】
出発地から目的地まで移動するための案内方法であって、
（a）出発地から目的地までの経路であって、時刻表にしたがって輸送手段が運行される路線を含む経路の位置を表す経路情報を準備する工程と、
（b）前記時刻表の情報である時刻表情報を準備する工程と、
（c）全地球測位システムを利用して、現在位置を表す現在位置情報を取得する工程と、
（d）前記経路に含まれる前記路線においてユーザが次に乗るべき輸送手段が出発する第１の利用駅に前記ユーザが到着する第１の予想到着時刻を、前記現在位置情報と、前記経路情報とに基づいて計算し、前記第１の予想到着時刻と前記経路情報と前記時刻表情報とに基づいて、前記ユーザが次に乗るべき輸送手段が前記第１の利用駅を出発する第１の出発時刻を特定し、前記第１の利用駅および前記第１の出発時刻を、前記ユーザに知らせる工程と、を備える、方法。
【請求項１５】
請求項１４記載の方法であって、さらに、
（e）前記第１の予想到着時刻から所定時間だけ前の時刻を経過した場合に、音声と振動との少なくとも一方で前記ユーザに注意を促す工程を含む方法。
【請求項１６】
請求項１４または１５に記載の方法であって、さらに、
（f）前記工程（d）の後、
新たに取得された現在位置情報と前記経路情報とに基づいて、新たに前記第１の利用駅への第１の予想到着時刻を計算し、
前記新たに計算された第１の予想到着時刻と前記時刻表情報とに基づいて、前記ユーザが次に乗るべき輸送手段が前記第１の利用駅を出発する第１の出発時刻を新たに計算し、
前記新たな第１の出発時刻を前記ユーザに知らせる工程を含む方法。
【請求項１７】
請求項１４ないし１６のいずれかに記載の方法であって、さらに、
（g）前記工程（d）の後、前記現在位置と前記路線との少なくとも一方に関する所定の条件が満たされた場合に、
新たに取得された現在位置情報に基づく現在位置から目的地まで移動するための経路であって、前記路線を含む経路の位置を表す経路情報を新たに準備し、
前記新たな経路情報の経路に含まれる路線においてユーザが次に乗るべき輸送手段が出発する新たな第１の利用駅に前記ユーザが到着する新たな第１の予想到着時刻を、前記新たな現在位置情報と前記新たな経路情報とに基づいて計算し、
前記新たな第１の予想到着時刻と前記新たな経路情報と前記時刻表情報とに基づいて、前記ユーザが次に乗るべき輸送手段が前記新たな第１の利用駅を出発する新たな第１の出発時刻を特定し、
前記新たな第１の利用駅および前記新たな第１の出発時刻を前記ユーザに知らせる工程を含む、方法。
【請求項１８】
請求項１４ないし１７のいずれかに記載の方法であって、さらに、
（h）前記第１の出発時刻よりも後に前記第１の利用駅を出発する輸送手段であって、前記ユーザが次に乗るべき前記輸送手段の代替となりうる輸送手段の前記第１の利用駅からの出発時刻である第１の代替出発時刻を、前記第１の出発時刻と前記経路情報と前記時刻表情報とに基づいて計算する工程と、
（i）前記第１の代替出発時刻を前記第１の出発時刻とともに表示する工程であって、前記第１の出発時刻を前記第１の代替出発時刻よりも強調して表示する工程と、を備える方法。
【請求項１９】
請求項１４ないし１８のいずれかに記載の方法であって、さらに、
（j）前記第１の利用駅から前記ユーザが乗るべき前記輸送手段が、前記経路において乗り換えのためにユーザが降りるべき第２の利用駅に到着する第２の予想到着時刻を、前記現在位置情報と、前記経路情報とに基づいて計算し、
前記第２の予想到着時刻と前記経路情報と前記時刻表情報とに基づいて、前記ユーザが乗り換えるべき輸送手段が前記第２の利用駅を出発する第２の出発時刻を特定し、
前記第２の利用駅および前記第２の出発時刻を前記ユーザに知らせる工程を含む方法。
【請求項２０】
請求項１９記載の方法であって、
前記工程（d）および（j）における、利用駅および出発時刻のユーザへの告知は、
前記第１の利用駅と前記第２の利用駅の間にある駅であって、前記ユーザが次に乗るべき前記輸送手段が止まらない駅を表示せず、
前記第１の出発時刻とともに前記第１の利用駅を表示し、
前記第２の出発時刻とともに前記第２の利用駅を表示することによって行われる、方法。
【請求項２１】
請求項１９記載の方法であって、
前記工程（d）および（j）においては、前記第１の出発時刻が前記第２の出発時刻よりも強調して表示される、方法。
【請求項２２】
請求項１４ないし２０のいずれかに記載の方法であって、
前記工程（a）は、前記経路に含まれる前記路線において前記ユーザが次に乗るべき輸送手段が停まる停止駅が、改札内に所定の設備を有しているか否かを表す駅設備情報を含む前記経路情報を準備する工程であり、
前記方法は、さらに、
（k）前記駅設備情報に基づいて、前記停止駅を表す表示とともに、前記停止駅が改札内に前記所定の設備を有している場合には、所定の表示を行う工程を含む方法。
【請求項２３】
出発地から目的地まで移動するためのコンピュータプログラムであって、
ユーザに携帯され情報を出力することができる出力部と、全地球測位システムを利用して現在位置を表す現在位置情報を取得するための現在位置取得部と、前記出力部および前記現在位置取得部を制御する制御部と、を備える案内装置において実行されることによって、
出発地から目的地までの経路であって、時刻表にしたがって輸送手段が運行される路線を含む経路の位置を表す経路情報を準備する機能と、
前記時刻表の情報である時刻表情報を準備する機能と、
前記経路に含まれる前記路線においてユーザが次に乗るべき輸送手段が出発する第１の利用駅に前記ユーザが到着する第１の予想到着時刻を、前記現在位置情報と、前記経路情報とに基づいて計算し、前記第１の予想到着時刻と前記経路情報と前記時刻表情報とに基づいて、前記ユーザが次に乗るべき輸送手段が前記第１の利用駅を出発する第１の出発時刻を特定し、前記第１の利用駅および前記第１の出発時刻を、前記ユーザに知らせる機能と、を案内装置に実現させることができる、コンピュータプログラム。
【請求項２４】
請求項２３記載のコンピュータプログラムであって、
前記出力部は、音声と振動との少なくとも一方で前記ユーザに注意を促すことができ、
前記コンピュータプログラムは、さらに、前記第１の予想到着時刻から所定時間だけ前の時刻を経過した場合には、前記出力部を制御して音声と振動との少なくとも一方で前記ユーザに注意を促すことができる、コンピュータプログラム。
【請求項２５】
請求項２３または２４に記載のコンピュータプログラムであって、
前記第１の出発時刻を前記出力部に出力させた後、
新たに取得された現在位置情報と前記経路情報とに基づいて、新たに前記第１の利用駅への第１の予想到着時刻を計算し、
前記新たに計算された第１の予想到着時刻と前記時刻表情報とに基づいて、前記ユーザが次に乗るべき輸送手段が前記第１の利用駅を出発する第１の出発時刻を新たに計算し、
前記新たな第１の出発時刻を前記ユーザに知らせる機能を実現することができる、コンピュータプログラム。
【発明の詳細な説明】
【技術分野】
【０００１】
この発明は、携帯機器を利用した経路案内の技術に関する。
【背景技術】
【０００２】
従来より、データ通信が可能な携帯電話を利用した経路案内が行われている。ある技術においては、ユーザは、携帯電話１１のディスプレイ１１ｃに表示された電車案内画面において、たとえば、出発駅、目的駅、希望到着時刻を入力する。電車案内サーバ２１は、それらをキーとして、時刻表データベース２２と乗り換えデータベース２３から、電車情報を抽出し、携帯電話１１に送信する。ユーザは、さらに、報知方法（画面、バイブ）とお知らせ時刻（３分前）を設定する。
【０００３】
運行中、携帯電話１１のＣＰＵ１１ａは、お知らせ時刻になると、報知方法に基づいて、振動制御プログラムに振動指令を行うとともに、ディスプレイ１１ｃにお知らせ画面を表示する。また、お知らせ時刻から所定の時間前に、電車案内サーバ１１に接続し、その電車情報に関する情報（例えば、積雪のため運行中止・・・）を取得してディスプレイ１１に表示する。
【先行技術文献】
【特許文献】
【０００４】
【特許文献１】特開２００２−２２５７１２号公報
【０００５】
しかし、上記の技術は、現にユーザが乗っている列車が遅れた場合や早まった場合には、次の駅への到着の３分前などの時刻に正確に予告を行うことができない。また、ユーザが、当初の予定を変更して、検索時に提示された列車に乗らなかった場合にも、役には立たない。このような問題は、列車に限らず、路線バス、定期連絡船、航空路線など、あらかじめ定められた時刻表にしたがって運行している交通システムを利用する場合に、広く存在する。
【発明の概要】
【発明が解決しようとする課題】
【０００６】
本願に係る発明は、時刻表にしたがって運行している交通システムを利用して目的地に向かう際のユーザの利便性を向上させることを目的とする。
【課題を解決するための手段】
【０００７】
上記目的を達成するために、本発明は、その一態様として、以下のような構成を備える案内装置を採用する。この案内装置は、
出発地から目的地までの経路であって、時刻表にしたがって輸送手段が運行される路線を含む経路の位置を表す経路情報を準備する経路準備部と、
時刻表の情報である時刻表情報を準備する時刻表準備部と、
全地球測位システムを利用して、現在位置を表す現在位置情報を取得するための現在位置取得部と、
ユーザに携帯され、情報を出力することができる出力部と、
経路に含まれる路線においてユーザが次に乗るべき輸送手段が出発する第１の利用駅にユーザが到着する第１の予想到着時刻を、現在位置情報と、経路情報とに基づいて計算し、第１の予想到着時刻と経路情報と時刻表情報とに基づいて、ユーザが次に乗るべき輸送手段が第１の利用駅を出発する第１の出発時刻を特定し、第１の利用駅および第１の出発時刻を出力部に出力させる時刻管理部と、を備える。
【０００８】
このような態様とすれば、実際の現在位置を反映させて、利用駅で次に乗るべき輸送手段の出発時刻をユーザに告知することができる。このため、ユーザが利用駅に向かって予定どおりに移動できなかった場合にも、その状況を反映して、輸送手段の出発時刻が告知される。よって、時刻表にしたがって運行している交通システムを利用する際のユーザの利便性を向上させることができる。
【０００９】
なお、ある構成要素がある情報を「準備する」とは、その構成要素がその情報を他の情報から自ら生成すること、その構成要素があらかじめその情報を保持しておりそれを提供すること、その構成要素が外部からその情報を入手し提供することなど、様々な態様を含む。また、「経路の位置」は、経路に含まれる複数の地点の位置を表すものとすることができる。
【００１０】
なお、案内装置は、さらに、現在時刻を得ることができる時計部を含んでもよい。また、現在位置取得部が、全地球測位システムを利用して、現在時刻を表す現在時刻情報を取得することで、時計部として機能してもよい。
【００１１】
また、現在位置取得部は、ユーザに携帯され、現在位置取得部の現在位置、すなわちユーザの現在位置を表す現在位置情報を取得することができるものとすることができる。
【００１２】
また、第１の予想到着時刻を計算する際には、さらに、時刻表情報に基づいて第１の予想到着時刻を計算することもできる。そのような態様とすれば、途中の停車駅における停車時間や、通常の停車時間より長い通過列車の待ちあわせ時間などを、より正確に第１の予想到着時刻に反映することができる。
【００１３】
また、案内装置は、さらに、少なくとも現在位置の周辺の地図を表す地図情報を準備する地図情報準備部を備えることができる。
そして、出力部は、画像を表示することができる表示部を備えることができる。
そのような態様において、時刻管理部は、地図情報と、経路情報と、現在位置情報とに基づいて、現在位置が含まれる地図と、現在位置が含まれる経路の少なくとも一部の位置と、現在位置と、を重ねて表示部に表示することが好ましい。
【００１４】
このような態様とすれば、ユーザは、現在位置と第１の利用駅がどのような位置関係にあるかを、地図上の表示に基づいて確認しながら、目的地に移動することができる。
【００１５】
なお、出力部は、音声と振動との少なくとも一方でユーザに注意を促すことができることが好ましい。
そして、時刻管理部は、第１の予想到着時刻から所定時間だけ前の時刻を経過した場合には、出力部を使用して音声と振動との少なくとも一方でユーザに注意を促すことが好ましい。
【００１６】
このような態様とすれば、第１の利用駅への到着が早まったり遅れたりした場合にも、到着から一定の時間だけ前に、ユーザは第１の利用駅に近づいた旨を告知される。このため、第１の利用駅を利用するための準備を、余裕を持って行うことができる。また、不必要に早い時刻から第１の利用駅を利用するための準備をはじめてしまい、そのために第１の利用駅に到着する前の時間を不便に過ごす可能性も低減できる。
【００１７】
また、時刻管理部は、第１の出発時刻を出力部に出力させた後、さらに以下の処理を行うことが好ましい。すなわち、
新たに取得された現在位置情報と経路情報とに基づいて、新たに第１の利用駅への第１の予想到着時刻を計算し、
新たに計算された第１の予想到着時刻と時刻表情報とに基づいて、ユーザが次に乗るべき輸送手段が第１の利用駅を出発する第１の出発時刻を新たに計算し、
新たな第１の出発時刻を出力部に出力させる。
【００１８】
このような態様とすれば、第１の出発時刻を出力部に出力させた後に、第１の利用駅への到着が遅れたり早まったりするなど、状況が変化した場合にも、その変化した状況に応じて適切な輸送手段の出発時刻を出力することができる。なお、このような処理は、繰り返し行われることが好ましい。
【００１９】
なお、出力部によって第１の出発時刻が出力された後、現在位置と路線との少なくとも一方に関する所定の条件が満たされた場合には、以下の処理が行われることが好ましい。
経路準備部は、新たに取得された現在位置情報に基づく現在位置から目的地まで移動するための経路であって、路線を含む経路の位置を表す経路情報を新たに準備する。
時刻管理部は、
新たな経路情報の経路に含まれる路線においてユーザが次に乗るべき輸送手段が出発する新たな第１の利用駅にユーザが到着する新たな第１の予想到着時刻を、新たな現在位置情報と新たな経路情報とに基づいて計算し、
新たな第１の予想到着時刻と新たな経路情報と時刻表情報とに基づいて、ユーザが次に乗るべき輸送手段が新たな第１の利用駅を出発する新たな第１の出発時刻を特定し、
新たな第１の利用駅および新たな第１の出発時刻を出力部に出力させる。
【００２０】
このような態様とすれば、ユーザが予定どおりに移動せず、または、路線に何らかの異常が生じた場合にも、ユーザは、目的地に到達するための新たな経路において、次に乗るべき輸送手段が出発する利用駅、および輸送手段の出発時刻を知ることができる。
【００２１】
なお、所定の条件は、さらに、ユーザが経路の再探索を指示したことを含むこともできる。また、ユーザの指示によらず、再探索が自動で行われる態様とすることもできる。さらに、所定の条件は、個々の下位の要件を「アンド」や「オア」で結合した条件とすることができる。
【００２２】
なお、過去に準備した時刻表情報が、新たな第１の利用駅および新たな第１の予想到着時刻以降の十分な時間範囲についての情報を保持している場合には、過去に利用したものと同じ時刻表情報を使用して新たな第１の出発時刻を得ることができる。一方、過去に準備した時刻表情報が、新たな第１の利用駅の情報を保持していない場合や、新たな第１の予想到着時刻以降の十分な時間範囲についての情報を保持していない場合は、新たな第１の利用駅および現在時刻に基づいて、新たに時刻表情報を準備することが好ましい。
【００２３】
新たな経路情報を準備する際の所定の条件は、経路上の一つの地点を含む所定の領域内に、所定の時間以上、現在位置が留まったことを含むことができる。
【００２４】
このような態様とすれば、たとえば、ユーザが途中の停車駅で輸送手段を降りたり、ユーザが乗った輸送手段が何らかの原因で止まってしまった場合にも、ユーザは、目的地に到達するための新たな経路において、次に乗るべき輸送手段が出発する利用駅、および輸送手段の出発時刻を知ることができる。
【００２５】
また、新たな経路情報を準備する際の所定の条件は、経路を含む所定の領域外に、現在位置が存在することを含むことができる。
【００２６】
このような態様とすれば、たとえば、ユーザが経路からそれて寄り道をしたり、乗り換えを間違えたりした場合にも、ユーザは、目的地に到達するための新たな経路において、次に乗るべき輸送手段が出発する利用駅、および輸送手段の出発時刻を知ることができる。
【００２７】
なお、案内装置は、さらに、経路に含まれる路線の少なくとも一部が利用不能である旨の事故情報を、外部から受けとることができる事故情報取得部を備えることが好ましい。そのような態様においては、上記の経路情報の再準備等を行う所定の条件は、事故情報取得部を介して上記の事故情報を受信したことを含むことができる。
そのような態様において、経路準備部は、新たな経路情報を準備する際に、新たに取得された現在位置情報と事故情報とに基づく、路線のうち利用不能である区間を含まない経路の位置を表す新たな経路情報を準備することが好ましい。
【００２８】
このような態様とすれば、経路に含まれる路線の一部が使用不能となった場合にも、ユーザは、目的地に到達するための新たな経路において、次に乗るべき輸送手段が出発する利用駅、および輸送手段の出発時刻を知ることができる。
【００２９】
また、出力部が、画像を表示することができる表示部を備える場合には、案内装置を以下のような態様とすることが好ましい。
時刻管理部は、
第１の出発時刻よりも後に第１の利用駅を出発する輸送手段であって、ユーザが次に乗るべき輸送手段の代替となりうる輸送手段の第１の利用駅からの出発時刻である第１の代替出発時刻を、第１の出発時刻と経路情報と時刻表情報とに基づいて計算し、
第１の代替出発時刻を第１の出発時刻とともに表示部に表示させ、
第１の出発時刻を第１の代替出発時刻よりも強調して表示させる。
【００３０】
このような態様とすれば、ユーザは、次に乗るべき輸送手段の代替となりうる輸送手段の出発時刻を知ることができる。そして、同時に、ユーザは、次に乗るべき輸送手段の出発時刻を、代替輸送手段の出発時刻よりも強く印象づけられる。このため、ユーザは、予備的な情報を入手しつつ、より重要な、本来乗るべき輸送手段の情報をより強く意識することができる。
【００３１】
なお、ある表示を他の表示よりも強調して表示する態様としては、たとえば、より大きな字で表示する、より太い線で描かれた文字で表示する、異なる色の文字で表示する、異なる背景を付す、などの態様を採用することができる。
【００３２】
また、時刻管理部は、
第１の利用駅からユーザが乗るべき輸送手段が、経路において乗り換えのためにユーザが降りるべき第２の利用駅に到着する第２の予想到着時刻を、現在位置情報と、経路情報とに基づいて計算し、
第２の予想到着時刻と経路情報と時刻表情報とに基づいて、ユーザが乗り換えるべき輸送手段が第２の利用駅を出発する第２の出発時刻を特定し、
第２の利用駅および第２の出発時刻を出力部に出力させることが好ましい。
【００３３】
このような態様とすれば、乗換駅としての第２の利用駅における輸送手段の出発時刻であって、実際の現在位置を反映した出発時刻を、ユーザは、知ることができる。
【００３４】
また、出力部が、画像を表示することができる表示部を備える場合には、案内装置を以下のような態様とすることも好ましい。
時刻管理部は、
第１の利用駅と第２の利用駅の間にある駅であって、ユーザが次に乗るべき輸送手段が止まらない駅を表示せず、
第１の出発時刻とともに第１の利用駅を表示部に表示し、
第２の出発時刻とともに第２の利用駅を表示部に表示する。
【００３５】
このような態様とすれば、重要性が低い通過駅の情報が表示部に表示されない。このため、表示部が小さい場合にも、ユーザが、第１の利用駅および第１の出発時刻、ならびに第２の利用駅および第２の出発時刻を、容易に把握することができる。
【００３６】
なお、時刻管理部は、出力部に、第１の出発時刻を第２の出発時刻よりも強調して表示させることが好ましい。
【００３７】
このような態様とすれば、ユーザは、乗り換えるべき輸送手段の出発時刻を知ることができる。そして、同時に、ユーザは、次に乗るべき輸送手段の出発時刻をより強く印象づけられる。このため、ユーザは、予備的な情報を入手しつつ、より重要な、次に乗るべき輸送手段の情報をより強く意識することができる。
【００３８】
なお、出力部が、画像を表示することができる表示部を備える場合には、案内装置を以下のような態様とすることも好ましい。
経路準備部は、経路に含まれる路線においてユーザが次に乗るべき輸送手段が停まる停止駅と、その停止駅が、改札内に所定の設備を有しているか否かを表す駅設備情報を含む経路情報を準備する。
時刻管理部は、駅設備情報に基づいて、停止駅を表す表示とともに、停止駅が改札内に所定の設備を有している場合には、所定の表示を表示部に表示させる。
【００３９】
このような態様とすれば、ユーザは、所定の設備を利用するために途中の停車駅で途中下車するか否かを、表示部の表示に基づいて決定することができる。なお、「改札内」とは、ユーザが、輸送手段から降りて、改札口を通過せずに自由に行き来できる領域内を意味する。
なお、本発明は、種々の形態で実現することが可能であり、例えば、案内方法、案内装置および案内システム、画像表示方法および画像表示装置、それらの方法または装置の機能を実現するためのコンピュータプログラム、そのコンピュータプログラムを記録した記録媒体、そのコンピュータプログラムを含み搬送波内に具現化されたデータ信号、等の形態で実現することができる。
【図面の簡単な説明】
【００４０】
【図１】本発明の第１実施例である経路案内システムのハードウェア構成を示す図。
【図２】経路案内を行う際の携帯電話２００、経路探索サーバ１００、地図サーバ１５０、時刻表サーバ１７０、運行管理サーバ１８０の情報のやりとりを示すチャート。
【図３】図２のステップＳ１１０以降で表示パネル２０２上に表示される画像の例ＳＤ１を示す図。
【図４】駅への予想到着時刻とこの先、乗るべき列車の発車時刻の表示とを更新する処理を示すフローチャート。
【図５】携帯電話２００の主制御部２１０が行う到着予告の処理を示すフローチャート。
【図６】ルートの再検索を行うための処理を示すフローチャート。
【図７】図６のステップＳ７２０で経路データが再度生成された場合の、表示パネル２０２上に表示される画像の例ＳＤ２を示す図。
【図８】第２実施例において、携帯電話２００の表示パネル２０２上に表示される画像の例ＳＤ３を示す図。
【図９】第３実施例において、携帯電話２００の表示パネル２０２上において、地図上に表示される経路等の表示の左側に並べて表示される案内図ＳＤ４の表示を示す図。
【発明を実施するための形態】
【００４１】
Ａ．第１実施例：
Ａ１．全体構成：
図１は、本発明の第１実施例である経路案内システムのハードウェア構成を示す図である。第１実施例の経路案内システムは、経路探索サーバ１００と、地図サーバ１５０と、時刻表サーバ１７０と、運行管理サーバ１８０と、携帯電話２００と、を含む。
【００４２】
携帯電話２００は、ＧＰＳユニット２０１と、表示パネル２０２と、音声出力部２０３と、振動機構２０４と、通信部２０５と、コマンド入力部２０６と、時計部２０９と、主制御部２１０と、通話制御部２２０とを有している。
【００４３】
ＧＰＳユニット２０１は、ＧＰＳ（Ｇｒｏｂａｌ Ｐｏｓｉｔｉｏｎｉｎｇ Ｓｙｓｔｅｍ／全地球測位システム）の衛星からの電波を受信するためのアンテナを含むユニットである。ＧＰＳのアンテナが受信する電波に基づいて、ＧＰＳユニット２０１は、携帯電話２００の現在位置を表す現在位置情報を生成することができる。
【００４４】
表示パネル２０２は、画像を表示することができる液晶ディスプレイである。音声出力部２０３は、スピーカを含む装置であって、経路案内などのユーザへのメッセージやメロディなどを音声で出力できる装置である。振動機構２０４は、所定のパターンの振動でユーザの注意を促すことができる装置である。本明細書においては、音声、振動を出力する装置２０３，２０４を、まとめて「警告部」と呼ぶことがある。また、画像、音声、振動を出力する装置２０２〜２０４を、まとめて「出力部」と呼ぶことがある。
【００４５】
通信部２０５は、インターネットＩＮＴを介して経路探索サーバ１００および地図サーバ１５０と通信を行い、情報を送受信することができる。
【００４６】
コマンド入力部２０６は、テンキー２０６ａとカーソルキー２０６ｂとを含む。ユーザは、テンキー２０６ａとカーソルキー２０６ｂを介して携帯電話２００に情報を入力する。
【００４７】
時計部２０９は、主制御部２１０からの要求に応じて、現在時刻を表す現在時刻情報を出力する。
【００４８】
通話制御部２２０は、通話のための着信呼出、音声／電気信号の変換などを行う回路である。
【００４９】
主制御部２１０は、携帯電話２００の各部を制御するための制御ユニットである。主制御部２１０は、それらの制御に使用されるＣＰＵ、ＲＡＭ、ＲＯＭを備えている。たとえば、主制御部２１０は、ＣＰＵでアプリケーションソフトウェア２１２を実行することによって携帯電話２００の各部を制御し、現在位置から目的地までの経路を表す経路データを入手して、経路案内（ルートガイド）を行うことができる。なお、経路データを入手する主制御部２１０の機能部を、図１において経路準備ユニット２３１として示す。また、経路データに基づいて経路案内を行う主制御部２１０の機能部を、図１において経路案内ユニット２３２として示す。
【００５０】
経路探索サーバ１００は、通信部１０２と、制御部１０４と、記憶部１０６とを有している。通信部１０２は、インターネットＩＮＴを介して地図サーバ１５０、時刻表サーバ１７０、運行管理サーバ１８０および携帯電話２００と通信を行うことができる。
【００５１】
記憶部１０６は、経路探索のための経路ネットワークデータ（経路探索データ）を格納している。記憶部１０６は、さらに、地図サーバ１５０、時刻表サーバ１７０、運行管理サーバ１８０および携帯電話２００から受け取ったデータ、およびそれらに基づいて生成されたデータを格納する。
【００５２】
経路ネットワークデータは、ノード情報と、交差点および駅の属性情報と、アーク情報とを含む。ノード情報は、道路の交差点や、カーブの開始点および終了点、路線の駅などの地点を表すデータである。交差点の属性情報は、ユーザがその交差点に進入するときに、そのユーザの携帯電話２００の表示パネル２０２に表示すべき情報、たとえば、交差点で交わる各道路がどこに向かっているかを示す情報である。
【００５３】
駅の属性情報は、その駅に列車の路線のうち何線が乗り入れているかを表す乗り入れ路線情報を含む。また、駅の属性情報は、列車の停車位置とその駅の階段の位置の関係を表す情報も含む。列車の停車位置の情報は、列車の車両数と対応づけて保持される。さらに、駅の属性情報は、その駅が、改札内にトイレを有するか否か、ならびに飲食店を有するか否か、の情報を含む。さらに、駅の属性情報は、その駅における乗り換えに要する時間の情報も含んでいる。
【００５４】
アーク情報は、ノードとノードの間の道路または路線区間であるアークに関する情報である。各アークには固有のＩＤが割り当てられている。また、道路の区間のアークには、その道路の名称（国道１号線、県道３０号線など）の情報が対応づけられている。そして、路線の区間のアークには、その路線の名称（山手線、中央線など）の情報が対応づけられている。
【００５５】
また、道路の区間のアークには、その区間の距離の情報のほか、徒歩、自動車、および自転車で移動する場合のそれぞれの平均速度の情報も割り当てられている。路線の区間のアークには、その区間の距離の情報のほか、その区間を列車で移動する際の平均移動速度の情報も割り当てられている。この列車の平均移動速度の情報は、各駅停車の場合、急行の場合などの、１以上の情報が各アークに割り当てられている。
【００５６】
各アーク情報は、それぞれのアークに含まれる多数の地点の緯度および経度のデータを含んでいる。すなわち、ルートを設定することができる道路や路線区間は、それらの地点の点列として表すことができる。
【００５７】
地図サーバ１５０は、通信部１５２と、制御部１５４と、地図データベース１５６とを有している。通信部１５２は、インターネットＩＮＴを介して経路探索サーバ１００および携帯電話２００と通信を行うことができる。
【００５８】
地図データベース１５６は、携帯電話２００に送信するための画像データとしての地図画像データを格納している。制御部１５４は、携帯電話２００から受け取ったデータに基づいて携帯電話２００が要求する一部の領域の地図を表す地図画像データを特定し、通信部１５２を介して携帯電話２００に送信する。
【００５９】
時刻表サーバ１７０は、通信部１７２と、制御部１７４と、時刻表データベース１７６とを有している。通信部１７２は、インターネットＩＮＴを介して経路探索サーバ１００と通信を行うことができる。
【００６０】
時刻表データベース１７６は、日本国内の列車の路線の時刻表のデータを格納している。制御部１７４は、経路探索サーバ１００から受け取ったデータに基づいて、特定の駅、特定の路線、かつ特定の時刻近傍の列車の発車時刻の情報、ならびにその列車の停車駅、およびその停車駅の停車時刻および発車時刻の情報を含むデータ（以下、「時刻表原データ」と呼ぶ）を作成し、通信部１５２を介して経路探索サーバ１００に送信する。
【００６１】
運行管理サーバ１８０は、通信部１８２と、制御部１８４と、記憶部１８６とを有している。通信部１８２は、インターネットＩＮＴを介して経路探索サーバ１００と通信を行うことができる。また、通信部１８２は、図示しない専用回線を介して、列車の運行監視装置と通信を行うことができる。列車の運行監視装置は、たとえば、各路線の主要駅に設置されており、列車の実際の到着時刻、発車時刻、ならびに運休情報や事故の情報を含む運行管理データを運行管理サーバ１８０に送信する。運行管理サーバ１８０は、それらの情報に基づいて、列車事故が起こった位置や不通区間の情報を作成し、経路探索サーバ１００に送信する。
【００６２】
経路探索サーバ１００の制御部１０４は、記憶部１０６を参照しつつ、地図サーバ１５０、時刻表サーバ１７０、運行管理サーバ１８０および携帯電話２００から受け取った各データに基づいて、出発地点から目的地に至る経路を表す経路データを生成する。経路には、列車の路線の区間を含むことができる。このため、経路データには、たとえば、目的地に向かう際に列車に乗車すべき駅、乗車すべき列車の発車時刻、ならびにその列車の停車駅、およびその停車駅の停車時刻および発車時刻の情報が含まれる。生成された経路データは、携帯電話２００に送信され、携帯電話２００において経路案内に使用される。
【００６３】
Ａ２．経路案内：
図２は、経路案内を行う際の携帯電話２００、経路探索サーバ１００、地図サーバ１５０、時刻表サーバ１７０、運行管理サーバ１８０の情報のやりとりを示すチャートである。携帯電話２００は、まず、ステップＳ１０５で、コマンド入力部２０６を介してユーザから出発地、経由地、目的地、検索条件などの入力を受けとる。そして、ユーザからルート検索の指示を受け取る。
【００６４】
ユーザからルート検索の指示を受け取ると、携帯電話２００の主制御部２１０は、ＧＰＳユニット２０１から取得した現在位置情報と、時計部２０９から取得した現在時刻情報とともに、出発地、経由地、目的地、検索条件などの情報を、経路探索サーバ１００に送信する。
【００６５】
ステップＳ２０５では、経路探索サーバ１００が、記憶部１０６内の経路ネットワークデータを参照しつつ、出発地から経由地を経て目的地に至るルートを探索する。なお、このルートは、少なくとも一部において列車を利用するルートである。
【００６６】
ステップＳ２１０では、経路探索サーバ１００は、探索されたルートで利用する路線の区間（以下「利用区間」という）の情報を運行管理サーバ１８０に送信し、利用区間の運行状況を問い合わせる。
【００６７】
ステップＳ４０５では、運行管理サーバ１８０は、保持しているすべての運行情報の中から、携帯電話から受け取った利用区間の運行状況を調べ、利用区間中に不通区間がないかどうかを決定する。不通区間とは、事故などによって列車が運行していないか、または大幅な遅延が生じている区間である。そして、運行管理サーバ１８０は、不通区間の有無の情報、および不通区間がある場合にはその区間の情報を含む運行情報を、経路探索サーバ１００に返信する。
【００６８】
利用区間中に不通区間があった場合には、経路探索サーバ１００は、ステップＳ２１５で、不通区間を避けて、再度、ルートを探索する。そして、新たに探索されたルートの利用区間の情報を運行管理サーバ１８０に送信し、再び利用区間の運行状況を問い合わせる（ステップＳ２１０）。
【００６９】
このステップＳ２１０，Ｓ４０５，Ｓ２１５の処理は、不通区間を含まないルートが見つかるまで行われる。なお、不通区間を含まないルートが決まらず、ステップＳ２１０，Ｓ４０５，Ｓ２１５が所定回数、繰り返された場合には、経路探索サーバ１００は、ルート探索不能の旨を携帯電話２００に返信する。
【００７０】
ステップＳ２２０では、経路探索サーバ１００は、決定された利用区間における出発駅、目的駅の情報、ならびに携帯電話２００から受け取った現在時刻情報を時刻表サーバ１７０に送信して、利用すべき列車の情報を問い合わせる。
【００７１】
ステップＳ３０５では、時刻表サーバ１７０は、時刻表データベース１７６を参照して、出発駅から目的駅までの利用区間において利用すべき１以上の列車を決定する。そして、それらの列車の路線名（山手線、中央線など）、車両数、乗車駅における乗車ホームおよび列車の停車位置、乗車駅における出発時刻、降車駅への到着時刻、降車駅における降車ホームおよび列車の停車位置、停車駅、停車駅における停車ホームおよび列車の停車位置、停車駅への到着時刻および出発時刻を決定する。
【００７２】
また、ステップＳ３０５では、そのようにして決定された列車よりも後にその乗車駅を出発し、その列車の代替となりうる列車を決定する。そのような代替としての列車としては、本来乗るべき列車の出発時刻から、たとえば１時間以内に出発する列車が選択される。そして、それらの列車の路線名、車両数およびドアの位置、乗車駅における乗車ホームおよび列車の停車位置、乗車駅における出発時刻、降車駅への到着時刻、降車駅における降車ホームおよび列車の停車位置、停車駅、停車駅における停車ホームおよび列車の停車位置、停車駅への到着時刻および出発時刻も決定される。そして、それらの列車の情報は経路探索サーバ１００に送信される。なお、これらの乗車すべき列車および代替列車の情報を、以下では「時刻表情報」と呼ぶことがある。
【００７３】
ステップＳ２２５では、経路探索サーバ１００は、利用区間において利用すべき１以上の列車の路線名、車両数およびドアの位置、乗車駅における乗車ホームおよび列車の停車位置、乗車駅における出発時刻、降車駅への到着時刻、降車駅における降車ホームおよび列車の停車位置、停車駅、停車駅における停車ホームおよび列車の停車位置、停車駅への到着時刻および出発時刻、ならびにステップＳ２０５またはＳ２１５で決定したルートに基づいて、経路データを生成する。生成された経路データは、出発地、経由地、目的地、検索条件などの情報とともに、経路探索サーバ１００の記憶部１０６内に格納される。
【００７４】
経路データは、ノード情報と、交差点および駅の属性情報と、アーク情報とを含む。アーク情報は、さらに、緯度および経度の点列の情報を含む。また、経路データは、上述の時刻表情報を含む。なお、ノード情報とアーク情報とをまとめて「経路情報」と呼ぶことがある。
【００７５】
なお、経路探索サーバ１００は、時刻表サーバ１５０から受け取った各駅におけるホームおよび列車の停車位置の情報、および列車の車両数およびドアの位置、ならびに経路探索サーバ１００の記憶部１０６内の経路ネットワークデータに含まれる列車の停車位置とその駅の階段の位置の関係を表す情報に基づいて、各駅の階段に最も近い車両およびドアを決定する。経路データには、そのようにして決定された、乗車駅、停車駅および降車駅の階段に最も近い車両およびドアの情報も、駅の属性情報の一部として含まれる。さらに、経路データには、経路において利用する各列車の路線の名称（山手線、中央線など）の情報も含まれる。
【００７６】
ステップＳ２２５で経路探索サーバ１００によって生成された経路データは、携帯電話２００に送信される。携帯電話２００は、その経路データを受信する。出発地、経由地、目的地、検索条件などの情報を、経路探索サーバ１００に送信し、経路探索サーバ１００から経路データを受け取る主制御部２１０の機能部は、経路準備ユニット２３１である（図１参照）。
【００７７】
経路データは、上述のように、「時刻表情報」を含んでいる。経路データを入手する機能部としての経路準備ユニット２３１のうち、特に時刻表情報を入手する機能を果たす機能部を、図１において、時刻表準備ユニット２３１ｂとして示す。なお、これに対して「経路情報」（ノード情報とアーク情報）を入手する機能を果たす機能部を、図１において、経路情報準備ユニット２３１ａとして示す。
【００７８】
ステップＳ１１０では、携帯電話２００の主制御部２１０は、経路データと、別途、地図サーバ１５０から取得された地図画像データとに基づいて、表示パネル２０２上にルートを描画する。そして、ユーザからのガイド開始の指示をコマンド入力部２０６を介して取得すると、ルートガイドを開始する。そして、ユーザが目的地に到着したらルートガイドを終了する。
【００７９】
なお、地図サーバ１５０から地図画像データを入手する主制御部２１０の機能部を、図１において地図情報準備ユニット２３３として示す。また、経路データに基づいて経路案内を行う主制御部２１０の機能部は、経路案内ユニット２３２である（図１参照）。
【００８０】
図３は、図２のステップＳ１１０以降で表示パネル２０２上に表示される画像の例ＳＤ１を示す図である。画像表示ＳＤ１は、携帯電話２００の表示パネルにおいて、拡大および縮小して表示することが可能である。その際、地図画像の拡大、縮小によらず文字の大きさは一定である。画像表示ＳＤ１中の文字の大きさは、あらかじめ設定することができる。
【００８１】
画像表示ＳＤ１においては、経路データのうちのノード情報に基づいて、出発地ＳＰ，出発駅Ｓｔｂ，停車駅Ｓｔｓ１，停車駅Ｓｔｓ２，乗換駅Ｓｔｔ１，目的駅Ｓｔｄ，目的地ＰＤが、地図画像上に示されている。
【００８２】
また、画像表示ＳＤ１においては、経路データのうちのアーク情報に基づいて、区間Ｓ０１（出発地ＳＰ〜出発駅Ｓｔｂ）、Ｓ０２（出発駅Ｓｔｂ〜停車駅Ｓｔｓ１）、Ｓ０３（停車駅Ｓｔｓ１，停車駅Ｓｔｓ２）、Ｓ０４（停車駅Ｓｔｓ２〜乗換駅Ｓｔｔ１）、Ｓ０５（乗換駅Ｓｔｔ１〜目的駅Ｓｔｄ）、Ｓ０６（目的駅Ｓｔｄ〜目的地ＰＤ）が示されている。なお、列車の路線である区間Ｓ０２〜Ｓ０５は、太い実線で示す。一般の道路である区間Ｓ０１，Ｓ０６は、太い破線で示す。ＰＰは、現在位置を示すアイコンである。
【００８３】
出発地ＳＰから目的地ＰＤに至る経路のうち、区間Ｓ０１は、徒歩で移動すべき区間である。同様に、区間Ｓ０６も徒歩で移動すべき区間である。区間Ｓ０２〜Ｓ０５（図３において太い実線で示す）は、列車を利用する区間である。図３においては、４本の路線Ｌ０１，Ｌ０２，Ｌ０３，Ｌ０４が示されているが、そのうち、ルートガイドの経路で使用される区間は、路線Ｌ０１のうちの利用区間Ｌｕ０１と、路線Ｌ０２のうちの利用区間Ｌｕ０２である。
【００８４】
なお、実際には、停車駅Ｓｔｓ１と停車駅Ｓｔｓ２の間に駅Ｓｔｎが存在する。しかし、駅Ｓｔｎには、ルートガイドが行われている経路で利用する予定の列車は、停車しない。このため、駅Ｓｔｎは、画像表示ＳＤ１においては表示されない。なお、図３では、本実施例の理解を容易にするために、駅Ｓｔｎを破線で示す。
【００８５】
一方、ユーザが列車に乗り降りする駅Ｓｔｂ，Ｓｔｔ１，Ｓｔｄおよび停車駅Ｓｔｓ１，Ｓｔｓ２は、画像表示ＳＤ１において表示される。このような態様とすることで、面積の小さい画面上においても、情報を分かりやすく表示することができる。
【００８６】
出発駅Ｓｔｂ，停車駅Ｓｔｓ１，停車駅Ｓｔｓ２，乗換駅Ｓｔｔ１，目的駅Ｓｔｄには、それぞれ駅の属性情報に基づいて、吹き出しＢ０１〜Ｂ０５が示される。
【００８７】
出発駅Ｓｔｂの吹き出しＢ０１には、出発駅Ｓｔｂの名前「Ａ駅」と、Ａ駅で乗るべき列車の出発時刻Ｔｄ１１と、その路線名（Ｐ駅）とホーム（１番ホームを表す「１番Ｈ」）の表示ＴＬｄ１と、その次に利用できる代替候補としての列車の出発時刻Ｔｄ１２とが示されている。よって、ユーザは、Ａ駅への到着が遅れた場合に、次の列車がいつ発車するのかを知ることができる。
【００８８】
なお、携帯電話２００は、上述のように、時刻表情報として、本来乗るべき列車の代替となりうる列車の情報を、本来乗るべき列車の出発時刻から１時間以内に出発する列車について、保持している。しかし、画像表示ＳＤ１においては、そのような代替列車のうち、最も出発時刻が速い列車１本の出発時刻の情報が表示される。このような態様とすることで、面積の小さい画面上においても、情報を分かりやすく表示することができる。なお、１時間以内に出発する代替列車がない場合には、画像表示ＳＤ１には、代替列車の出発時刻は表示されない。
【００８９】
出発駅Ｓｔｂの吹き出しＢ０１には、その駅の改札内にトイレがあることを示すアイコンＩｃ１と、その駅の改札内に飲食店があることを示すアイコンＩｃ２と、が示されている。このような態様とすることで、ユーザは、駅において改札を通った後、改札を出ることなくトイレを利用できるか、そして、改札を出ることなく飲食店を利用できるか、を知ることができる。
【００９０】
これらのアイコンＩｃ１，Ｉｃ２の表示は、途中の乗換駅についても、改札内のトイレおよび飲食店の有無に応じてなされる（図３の吹き出しＢ０４参照）。このため、ユーザは、乗り換え時間中にトイレに行くことができるか否かを知ることができる。また、これらのアイコンＩｃ１，Ｉｃ２の表示は、途中の停車駅についてもなされる（吹き出しＢ０３参照）。このため、ユーザは、途中の停車駅において下車して、改札を出ることなく、トイレや飲食店を利用することができるか否かを知ることができる。
【００９１】
停車駅Ｓｔｓ１は、この経路において列車に乗り降りする駅ではない。このため、図３において、停車駅Ｓｔｓ１の吹き出しＢ０２には、列車の出発時刻は示されていない。また、この駅には、改札内にトイレおよび飲食店が存在しない。このため、停車駅Ｓｔｓ１の吹き出しＢ０２には、アイコンＩｃ１，Ｉｃ２は示されていない。そして、停車駅Ｓｔｓ１の吹き出しＢ０２には、駅名「Ｂ駅」と路線名「Ｐ線」が表示されている。
【００９２】
乗換駅Ｓｔｔ１の吹き出しＢ０４には、乗換駅Ｓｔｔ１の名前「Ｄ駅」と、Ａ駅（出発駅Ｓｔｂ）から乗った列車の到着予定時刻Ｔａ４と、その路線名（Ｐ線）とホーム（２番Ｈ）の表示ＴＬａ４と、Ｄ駅で乗るべき列車の出発時刻Ｔｄ４１と、その路線名（Ｑ線）とホーム（３番Ｈ）の表示ＴＬｄ４と、その次に利用できる代替候補としての列車の出発時刻Ｔｄ４２とが示されている。ユーザは、これらの表示に基づいて、乗換駅における列車の乗り継ぎの予定をあらかじめ知ることができる。このため、ユーザは、乗り継ぎの時間中にトイレや飲食店に行く時間があるかを知ることができる。さらに、Ｄ駅で乗るべき列車を１本乗り過ごした場合に、どの程度の遅れが生じるかを知ることができる。
【００９３】
目的駅Ｓｔｄの吹き出しＢ０５には、Ｄ駅（乗換駅Ｓｔｔ１）から乗った列車の到着予定時刻Ｔａ５と、その路線名（Ｑ線）とホーム（１番Ｈ）の表示ＴＬａ５と、が示されている。ユーザは、この表示に基づいて、降車駅への到着時刻をあらかじめ知ることができる。
【００９４】
図３の例においては、ユーザは、出発駅Ｓｔｂに向かっている途中である（現在位置アイコンＰＰ参照）。そして、出発駅Ｓｔｂにおいて乗車すべき列車の出発時刻Ｔｄ１１が、他の列車の出発時刻Ｔｄ１２，Ｔｄ４１，Ｔｄ４２よりも大きく表示されている。このため、ユーザは、次に乗るべき列車の発車時刻を、画面表示から容易に知ることができる。
【００９５】
携帯電話２００の主制御部２１０は、たとえば３秒ごとなど、一定時間ごとにＧＰＳユニット２０１を介して現在位置情報を取得し、現在位置アイコンＰＰを画面上に描き直す。
【００９６】
図４は、駅への予想到着時刻とこの先、乗るべき列車の発車時刻の表示とを更新する処理を示すフローチャートである。図４の処理は、ルートガイドが行われている時間中に、主制御部２１０の経路案内ユニット２３２によって、繰り返し行われる。
【００９７】
携帯電話２００の主制御部２１０は、現在位置情報が更新されるたびに、現在位置と、ユーザが次に降車すべき駅との間の距離を計算する。次に降車すべき駅と現在位置の間の距離は、アークデータが含む区間の点列であって、次に降車すべき駅と現在位置の間に含まれる点列について、各点間の距離の和を計算することで得られる。なお、距離の計算に際しては、次に降車すべき駅と現在位置の間に含まれるすべての点について、各点間の距離の和を計算するのではなく、代表的な点についてのみ、点間の距離の和を計算してもよい。
【００９８】
そして、その距離と、現在位置が含まれる区間の平均移動速度と、に基づいて、ユーザが次に降車すべき駅への到着時刻を計算する（図４のステップＳ５０５）。なお、利用区間内の各区間の平均移動速度の情報は、経路データのアーク情報に含まれる。そのようにして得られた予想到着時刻は、それまで表示パネル２０２に表示されていた予想到着時刻（図３のＴａ４参照）と置き換えて表示される。
【００９９】
表示パネル２０２に最初に表示される予想到着時刻は、経路探索サーバ１００および時刻表サーバ１７０を介して得られた、時刻表データベース１７６に基づく到着予定時刻（図３においてＴａ４）である。しかし、その後、予想到着時刻は、図４の処理によって、一定時間毎に更新される。このような態様とすることで、ユーザは、現実の状況に基づいた到着時刻を知ることができる。
【０１００】
次に、携帯電話２００の主制御部２１０は、ステップＳ５１０で、予想到着時刻に基づいて、乗換駅での乗り換えが可能であるか否かを判定する。より具体的には、乗換駅への予想到着時刻が、乗換駅で乗るべき列車の出発時刻から、その乗換駅での乗り換えに要する時間を引いた時刻よりも遅いか否かを判定する。なお、乗換駅において乗り換えに要する時間の情報は、経路データの駅の属性情報に含まれる。
【０１０１】
ステップＳ５１０において、予想到着時刻が、乗換駅で乗るべき列車の出発時刻から、その乗換駅での乗り換えに要する時間を引いた時刻と同じか、より早い場合には、処理は終了する。ステップＳ５１０において、予想到着時刻が、乗換駅で乗るべき列車の出発時刻から、その乗換駅での乗り換えに要する時間を引いた時刻よりも遅い場合には、ステップＳ５１５で、乗換駅で乗るべき列車の出発時刻を更新する。
【０１０２】
ステップＳ５１５では、具体的には、乗換駅で乗るべきであった列車の代替となりうる列車のうち、出発時刻が（予想到着時刻）＋（乗り換えに要する時間）よりも後であって、その中で最も出発時刻が早いものを選択する。そして、その出発時刻を、乗換駅で乗るべき列車の出発時刻とする。たとえば、図３の例では、遅れが５分であるとすると、出発時刻Ｔｄ４１の時刻が出発時刻Ｔｄ４２の時刻によって置き換えられる。そして、出発時刻Ｔｄ４２の時刻は、さらに出発時刻がその後であって、最も早い代替列車の出発時刻によって置き換えられる。また、同時に、乗るべき列車の路線およびホームの情報（図３のＴＬｄ４参照）も、時刻表情報に基づいて更新され、表示パネル２０２に表示される。
【０１０３】
さらに、乗換駅で乗るべき列車の出発時刻が更新されることに伴い、経路においてその乗換駅よりも下流側に位置する各乗車駅および降車駅における到着予定時刻（図３のＴａ５参照）、乗るべき列車の発車時刻（図３において存在せず）、路線、およびホーム、ならびに代替列車の発車時刻（図３において存在せず）が更新される。たとえば、図３において、Ｄ駅で乗るべき列車の出発時刻が１７時２７分から１７時３５分に更新された場合には、Ｅ駅における到着時刻は、その１７時３５分にＤ駅を出発する代替列車のＥ駅への到着時刻に更新される。
【０１０４】
なお、経路データには、時刻表情報として、各乗車駅において本来乗るべき列車の出発時刻から、１時間以内に出発する代替列車の情報が含まれている。上記の各到着時刻、発車時刻等の置き換えは、そのような代替列車の情報に基づいて行われる。一方、代替列車が存在しない場合には、後述する経路の再探索が行われる。
【０１０５】
以上のようにして、画像表示ＳＤ１においては、列車の出発時刻および到着時刻が一定時間ごとに更新される。このような態様とすることで、ユーザは、経路上の実際の状況に応じた、列車の到着時刻、および乗り換え列車の出発時刻および到着時刻を知ることができる。
【０１０６】
図５は、携帯電話２００の主制御部２１０が行う到着予告の処理を示すフローチャートである。図５の処理も、ルートガイドが行われている時間中、主制御部２１０の経路案内ユニット２３２によって、現在位置情報の更新に応じて繰り返し行われる。携帯電話２００の主制御部２１０は、上述のように、一定時間ごとに降車駅への予想到着時刻を更新する（ステップＳ６０５）。そして、ステップＳ６１０では、現在時刻が予想到着時刻のＴｐ前よりも後であるか否かが判定される。Ｔｐは予め設定された時間であり、たとえば、３分に設定されることができる。
【０１０７】
現在時刻が予想到着時刻のＴｐ前よりも後でない場合には、一定時間待機した後、再びステップＳ６１０の処理を行う。一方、現在時刻が予想到着時刻のＴｐ前よりも後である場合には、主制御部２１０は、ステップＳ６１０において、音声出力部２０３と振動機構２０４によって、ユーザに注意を促し、その後、処理を終了する。
【０１０８】
このような態様とすることで、ユーザは、たとえば、列車の中で眠っていたり、読書に集中している場合にも、携帯電話からの警告を受けることによって、降車に先立って荷物をまとめるなど、降車の準備をすることができる。
【０１０９】
また、実際の現在位置によらず、あらかじめ定められた時刻に降車の準備を開始すると、列車が予定よりも早く到着した場合には、降車の準備がせわしなくなるという不都合が生じる。また、列車が予定よりも遅れた場合には、たとえば、以下のような不都合が生じる。すなわち、列車が遅れているにもかかわらず、読んでいた本や使用していたゲーム機などをカバンにしまってしまい、列車が駅に到着するまで手持ちぶさたとなる。また、上着を着てしまい、列車の中で暑い思いをする。
【０１１０】
しかし、本実施例においては、実際の現在位置を考慮してユーザに到着の予告を発する時刻が決定される。このため、列車が駅に遅れて到着したり、早く到着したりする場合にも、ユーザは、それらの現実の状況に合わせて降車の準備を開始することができる。
【０１１１】
図６は、ルートの再検索を行うための処理を示すフローチャートである。図６の処理も、ルートガイドが行われている時間中に、主制御部２１０の経路案内ユニット２３２によって、繰り返し行われる。なお、主制御部２１０の経路案内ユニット２３２の指示によってルートの再検索を行うのは、主制御部２１０の経路情報準備ユニット２３１ａである。
【０１１２】
ステップＳ７０５では、携帯電話２００の主制御部２１０は、現在位置が経路近傍の一定の範囲内に時間Ｔｓ以上留まったか否かが判定される。ステップＳ７０５における「経路近傍の所定の範囲」とは、たとえば、列車の路線上または駅内の一点から半径２０ｍの円形の範囲とすることができる。また、Ｔｓは、あらかじめ設定される時間であり、たとえば、１０分とすることができる。さらに、ステップＳ７０５では、上述の列車の到着時刻および出発時刻の更新（図４参照）において、出発時刻を表示すべき代替列車が存在しないか否かも判定される。
【０１１３】
ステップＳ７０５において、現在位置が経路近傍の一定の範囲内に時間Ｔｓ以上留まった場合、または、列車の到着時刻および出発時刻の更新において代替列車が存在しない場合は、処理はステップＳ７２０に進む。その他の場合には、処理はステップＳ７１０に進む。
【０１１４】
たとえば、ユーザが乗っている列車が事故などにより１０分以上、止まった場合には、処理はステップＳ７０５からステップＳ７２０に進むことになる。また、ユーザが降車駅ではない途中の停車駅（たとえば、図３のＣ駅）で下車してトイレに行って、その駅で次の列車を１０分以上待っている場合などにも、処理はステップＳ７０５からステップＳ７２０に進むことになる。
【０１１５】
ステップＳ７１０では、携帯電話２００の主制御部２１０は、現在位置が経路近傍の所定の範囲から外れたか否かを判定する。ステップＳ７１０における「経路近傍の所定の範囲」とは、たとえば、経路に含まれる列車の路線または駅から２０ｍ内の領域とすることができる。この領域は、たとえば、経路に含まれる路線の左右２０ｍ以内の範囲である。ステップＳ７１０の判定結果がＹｅｓである場合には、処理はステップＳ７２０に進む。判定結果がＮｏである場合には、処理はステップＳ７０５に進む。
【０１１６】
ステップＳ７１０においては、たとえば、ユーザが途中の駅で下車して周辺を観光した場合や、乗り換えを間違えて違う方面の列車に乗った場合などは、判定結果がＹｅｓとなる。
【０１１７】
経路探索サーバ１００は、一定時間ごとに運行管理サーバに利用区間の運行情報を問い合わせて、運行情報を受け取る（図２のステップＳ２１０参照）。ステップＳ７１５では、携帯電話２００の主制御部２１０は、その運行情報を経路探索サーバ１００から受け取って、その運行情報に基づいて、利用区間中に不通区間が存在するか否かを判定する。利用区間中に不通区間が存在する場合には、処理はステップＳ７２０に進む。その他の場合には、処理はステップＳ７０５に戻る。
【０１１８】
携帯電話２００の主制御部２１０は、ルートガイドを行っている間、ステップＳ７０５，Ｓ７１０，Ｓ７１５の判定を、一定時間（たとえば３分）ごとに行う。
【０１１９】
ステップＳ７２０では、携帯電話２００の主制御部２１０は、経路探索サーバ１００に現在位置情報および現在時刻情報を送信し、ルートの再検索の指示を送信する。経路探索サーバ１００は、受け取った現在位置情報と、記憶部１０６内に格納されている経由地、目的地、検索条件などの情報を使用して、再び経路データを生成する。以降の処理は、図２のステップＳ２０５以下の処理と同じである。
【０１２０】
ただし、新たに生成される経路データは、列車事故が起こった位置（以下「不通位置」という）を示す事故情報を含む。不通箇所の位置の情報は、運行管理サーバから提供される運行情報に基づいて得られる。経路データを入手する機能部としての経路準備ユニット２３１のうち、特に事故情報を入手する機能を果たす機能部を、図１において、事故情報準備ユニット２３１ｃとして示す。
【０１２１】
図７は、図６のステップＳ７２０で経路データが再度生成された場合の、表示パネル２０２上に表示される画像の例ＳＤ２を示す図である。図７の例においては、事故情報に基づいて、不通位置を示すアイコンＡＰが、示されている。区間Ｓ０４（停車駅Ｓｔｓ２〜乗換駅Ｓｔｔ１）が不通区間である。
【０１２２】
図７の例では、Ｃ駅が停車駅から乗換駅に変わり（図７の駅Ｓｔｔ２参照）、新たにＦ駅（駅Ｓｔｔ３）が乗換駅として提示されている。そして、区間Ｓ０７（乗換駅Ｓｔｔ２〜Ｓｔｔ３）、Ｓ０８（乗換駅Ｓｔｔ３〜目的駅Ｓｔｄ）を含む経路が太い線で提示されている。すなわち、経路において利用される利用区間が変更されている。路線Ｌ０３のうち、区間Ｓ０７が利用路線Ｌｕ０３である。路線Ｌ０４のうち、区間Ｓ０８が利用路線Ｌｕ０４である。
【０１２３】
そして、それぞれの駅の吹き出しＢ０３ｂ、Ｂ０６，Ｂ０５ｂにおいて、各駅における列車の路線名とホームの表示（ＴＬａ３，ＴＬａ６，ＴＬａ５ｂ）、その到着時刻（Ｔａ３，Ｔａ６，Ｔａ５ｂ）、乗り換え列車の路線名とホームの表示（ＴＬｄ３，ＴＬｄ６）、その発車時刻（Ｔｄ３１，Ｔｄ３２，Ｔｄ６１，Ｔｄ６２）が示されている。
【０１２４】
また、区間Ｓ０４，Ｓ０５は、利用区間ではなくなったため、利用区間よりも細い線で表示されている。そして、Ｄ駅は、乗換駅でも停車駅でもなくなったため、示されない。ただし、図７においては、本実施例の理解を容易にするために、Ｄ駅（駅Ｓｔｔ１）を破線で示す。なお、一度、経路案内において示された駅は、引き続き画面に表示することとしてもよい。
【０１２５】
このような態様とすることで、ユーザが最初に提示された経路に従って移動しない場合や、最初に提示された経路に従って移動できない場合など、状況が大きく変わった場合にも、その状況に合わせて、新たに経路を探索し、ユーザに提示することができる。
【０１２６】
Ｂ．第２実施例：
第１実施例では携帯電話２００の表示パネル２０２において、経路に含まれる各区間、各駅の表示、ならびに列車の到着時刻、出発時刻等が、地図上に表示される（図３、および図７参照）。しかし、第２実施例では、経路に含まれる各区間、各駅の表示、ならびに列車の到着時刻、出発時刻等は、地図の上に表示されず、案内図として表示される。第２実施例の他の点は、第１実施例と同じである。
【０１２７】
図８は、第２実施例において、携帯電話２００の表示パネル２０２上に表示される画像の例ＳＤ３を示す図である。画像表示ＳＤ３では、出発地のアイコンＳＰ（図３参照）に代えて、ブロックＢ２０が表示される。また、目的地のアイコンＰＤに代えてブロックＢ２６が表示される。そして、出発駅、目的駅、および停車駅のアイコンおよび吹き出しに代えて、ブロックＢ２１〜Ｂ２５が表示される。なお、図８においても、通過駅に対応するブロックは表示されない。
【０１２８】
ブロックＢ２１〜Ｂ２５は、出発地のブロックＢ２０と目的地のブロックＢ２６との間において直線的に配される。ブロックＢ２１〜Ｂ２５は、第１実施例の吹き出しＢ０１〜Ｂ０５に相当する表示を含む。図８において、図３で使用されている符号と同じ符号が付されている要素は、図３の要素と同じ要素である。
【０１２９】
なお、図８の画面表示ＳＤ３が携帯電話２００の表示パネル２０２上に収まりきらない場合には、表示パネル２０２上に画面表示ＳＤ３の一部を表示し、他の部分については、スクロールして表示させることもできる。
【０１３０】
図８に示される到着時刻（Ｔａ４，Ｔａ５参照）および出発時刻（Ｔｄ１１，Ｔｄ４１，Ｔｄ４２参照）等の情報、ならびに経路そのものの情報は、第１実施例と同様の処理で更新される（図４、および図６参照）。
【０１３１】
このような態様としても、ユーザは、実際の状況に応じた到着時刻、および乗車すべき列車の発車時刻を知ることができる。また、第２実施例の態様は、第１実施例に比べて画面上の表示情報が少ない。このため、ユーザは、到着時刻、および乗車すべき列車の発車時刻を容易に知ることができる。
【０１３２】
Ｃ．第３実施例：
第１実施例では携帯電話２００の表示パネル２０２において、経路に含まれる各区間、各駅の表示、ならびに列車の到着時刻、出発時刻が、地図上に表示される（図３のＳＤ１、および図７のＳＤ２参照）。第３実施例においては、その地図上に表示される経路等の表示と並べて、各駅までの所要時間が示された案内図が表示される。第３実施例の他の点は、第１実施例と同じである。
【０１３３】
図９は、第３実施例において、携帯電話２００の表示パネル２０２上において、地図上に表示される経路等の表示（図３のＳＤ１、および図７のＳＤ２参照）の左側に並べて表示される案内図ＳＤ４の表示を示す図である。すなわち、第３実施例では、携帯電話２００の表示パネル２０２上において、画像ＳＤ１と画像ＳＤ４が並べて表示される。
【０１３４】
画像表示ＳＤ４では、目的地を表すブロックＢ４６が表示される。そして、出発駅、目的駅、および停車駅を表すブロックＢ４１〜Ｂ４５が表示されている。なお、図９においても、通過駅に対応するブロックは表示されない。
【０１３５】
ブロックＢ４１〜Ｂ４６は、直線的に配される。ブロックＢ４１〜Ｂ４６は、各駅および目的地までの距離Ｌｒ２〜Ｌｒ６と所要時間Ｔｒ２〜Ｔｒ６を示す。各駅および目的地までの距離および所要時間は、経路データに含まれるアーク情報と、目的駅のノード情報、ならびにユーザによって指定された目的地の情報と、に基づいて、計算される。
【０１３６】
各駅および目的地までの距離および所要時間は、現在位置情報が更新されるたびに更新される（図４参照）。そして、各駅および目的地までの距離および所要時間は、再探索が行われるたびに更新される（図６参照）。
【０１３７】
第３実施例のような態様とすることで、ユーザは、各駅および目的地に到着するまでに、あとどのくらいの時間および労力を要するのかを直感的に把握することができる。そして、状況が変わるのに応じて各駅および目的地までの距離および所要時間が更新されるため、常に正確な情報を得ることができる。
【０１３８】
なお、図９の例では、現在位置はＡ駅とＢ駅の間であることを想定している。このため、すでに通過した出発地点およびＡ駅に相当するブロックは表示されない。このような態様とすることで、ユーザは、現在位置を起点として直感的に残りの道程の距離および所要時間を把握することができる。なお、通過済みの駅や出発地点を、目的地に到着するまで表示する態様とすることもできる。
【０１３９】
Ｄ．変形例：
なお、この発明は上記の実施例や実施形態に限られるものではなく、その要旨を逸脱しない範囲において種々の態様において実施することが可能であり、例えば次のような変形も可能である。
【０１４０】
Ｄ１．変形例１：
上記実施例で示した現在位置情報の更新時間間隔（３秒）、再探索の時間間隔（１０分）、代替列車を決定する時間範囲（１時間）等の時間は、いずれも例示であり、各時間の大きさはそれらよりも大きくすることができ、小さくすることができる。
【０１４１】
同様に、上記実施例において、再探索の判断基準として示した路線および駅の近傍の範囲（２０ｍの範囲）は、例示であり、近傍の範囲の大きさはそれらよりも大きくすることができ、小さくすることができる。
【０１４２】
また、地図サーバ１５０の地図データベース１５６内に格納されている画像データとしての地図画像データは、ラスタデータとして保持されていてもよいし、ベクトルデータとして保持されていてもよい。ユーザが携帯する端末装置としての携帯電話２００に送信される地図画像データも、ラスタデータであってもよいし、ベクトルデータであってもよい。さらに、地図データベース１５６内の地図画像データと、端末装置に送信される地図画像データは、いずれか一方をベクトルデータとし、他方をラスタデータとすることもできる。
【０１４３】
また、上記実施例では、図３の画像表示ＳＤ１，図７の画像表示ＳＤ２において、文字の大きさは地図画像の拡大縮小によらず一定である。しかし、画像表示中の文字の一部または全部が、地図画像の拡大や縮小に応じて拡大、縮小される態様とすることもできる。
【０１４４】
Ｄ２．変形例２：
上記実施例では、区間の平均速度の情報を使用して、ユーザが次に降車すべき駅への到着時刻を計算する。しかし、ユーザが次に降車すべき駅への到着時刻は、他の方法で計算してもよい。
【０１４５】
たとえば、主制御部２１０の経路案内ユニット２３２は、列車が停車駅に停車するたびに、図４の処理を実行する。そして、ステップＳ５０５では、主制御部２１０は、経路データにあらかじめ格納されている停車駅への到着時刻（以下、「到着予定時刻」という）と、実際に列車が停車駅に到着した時刻（以下、「実到着時刻」という）とを比較する。そして、停車駅への到着予定時刻とその停車駅への実到着時刻の差に基づいて、経路データにあらかじめ格納されている降車駅への到着時刻（図３のＴａ４参照）を修正する。
【０１４６】
そのようにして得られた修正後の予想到着時刻は、それまで表示パネル２０２に表示されていた予想到着時刻（図３のＴａ４参照）と置き換えて表示される。その後の処理は、第１実施例と同じである。このような態様としても、予想到着時刻および乗換駅で乗るべき列車の出発時刻を、現実の状態を反映して更新することができる。
【０１４７】
なお、このような処理は、停車駅の出発時刻に基づいて行うこともできる。さらに、そのような停車駅への実際の到着時刻および停車駅からの実際の出発時刻に基づく処理は、図６の降車駅への到着予告についても行うことができる（図６のステップＳ６０５参照）。
【０１４８】
さらに、上記の処理は、通過駅についても行われてもよい。すなわち、図２のステップＳ３０５では、時刻表サーバ１７０は、時刻表データベース１７６を参照して、通過駅の通過時刻を計算し、「時刻表情報」の一部として経路探索サーバ１００に送信する。その通過駅の通過時刻の情報は、経路データの一部として、経路探索サーバ１００から携帯電話２００に送信される。主制御部２１０の経路案内ユニット２３２は、列車が通過駅を通過するたびに、経路データにあらかじめ格納されている通過駅の通過時刻と、実際に列車が通過駅を通過した時刻との差に基づいて、降車駅への到着時刻を修正し、表示する（図４のステップＳ５０５、および図５のステップＳ６０５参照）。
【０１４９】
上記実施例では、経路ネットワークデータのアーク情報が、各駅停車の場合、急行の場合などの１以上の平均移動速度を備えている。しかし、経路ネットワークデータのアーク情報がそのような平均移動速度を備えていない態様とすることもできる。そのような態様としても、本変形例のような態様とすれば、実際の現在位置と経路情報とに基づいて、降車駅への到着時刻を更新することができる。
【０１５０】
Ｄ３．変形例３：
上記第３実施例では、図９の表示ＳＤ４が図３の表示ＳＤ１の左隣に表示される。しかし、第１ないし第３実施例の各表示ＳＤ１（ＳＤ２），ＳＤ３，ＳＤ４は、任意の組み合わせおよび配置で携帯端末の表示部上に表示することができる。
【０１５１】
Ｄ４．変形例４：
各駅への到着時刻が変更された結果、利用する列車が変更になったり、利用する路線が変更された結果、利用する列車が変更になったりした場合には、案内装置としての携帯電話は、変更後の列車のチケットを購入できるシステムのサーバにアクセスする態様とすることもできる。そのような態様とすれば、ユーザは、乗換駅に到着する前に予めチケットを購入することができる。
【０１５２】
Ｄ５．変形例５：
上記実施例では、駅の改札内にトイレやレストランがある旨の表示が行われる（図３および図７参照）。しかし、案内装置がユーザに提示する駅の情報はこれらに限られない。たとえば、案内装置は、乗車駅、降車駅、停車駅において、改札内におみやげ屋があるか否か、コンビニエンスストアがあるか否か、各ホームにキオスクや自動販売機があるか否かを表示する態様とすることもできる。すなわち、案内装置は、改札内にユーザが利用することができる所定の設備を有しているか否かを、ユーザに提示する態様とすることができる。
【０１５３】
Ｄ６．変形例６：
上記実施例においては説明していないが、各吹き出し（図３および図７のＢ０１〜Ｂ０６など）内の各表示や、ブロック（図８および図９のＢ２０〜Ｂ２６，Ｂ４２〜Ｂ４６）内の各表示は、携帯電話２００のカーソルキー２０６ｂで順に選択することができる。
【０１５４】
たとえば、駅名にカーソルを合わせて選択し、決定キーを押すなどして選択を確定した場合に、駅の設備（おみやげ屋、コンビニ、飲食店など）の有無の情報や乗り入れ路線の情報を表示する態様とすることもできる。すなわち、駅の属性情報は、所定の操作を行う前に表示されるものと、所定の操作を行った後に表示されるものと、に分けて表示することができる。
【０１５５】
また、路線にカーソルを合わせ、決定キーを押して選択を確定した場合に、列車のホームの番号や階段に最も近い車両の番号を表示するようにすることもできる。すなわち、列車の属性情報は、所定の操作を行う前に表示されるものと、所定の操作を行った後に表示されるものと、に分けて表示することができる。
【０１５６】
Ｄ７．変形例７：
大幅な遅延があった場合などに経路を再探索する場合には（図６のＳ７０５参照）、過去に準備された経路の情報を利用して、経路は変更せずに、その路線の利用駅に到着する再探索予想到着時刻、およびその利用駅を輸送手段が出発する再探索出発時刻を特定する態様としてもよい。また、経路そのものを再度、探索する態様とすることもできる。
【０１５７】
Ｄ８．変形例８：
上記実施例においては、ユーザに情報を提供する出力部は、表示パネル２０２、音声出力部２０３、および振動機構２０４として構成される（図１参照）。しかし、出力部は、印刷物の形で情報を出力したり、点字を構成する凹凸で情報を出力するものとすることもできる。出力部は、画像、音声、触覚、振動等の何らかの形でユーザに情報を提供することができるものであればよい。
【０１５８】
Ｄ９．変形例９：
上記実施例では、ＧＰＳ（Ｇｒｏｂａｌ Ｐｏｓｉｔｉｏｎｉｎｇ Ｓｙｓｔｅｍ／全地球測位システム）の衛星からの電波を受信して現在位置を特定するシステムが使用されている。案内装置の構成要素としての現在位置取得部は、現在位置を特定できるものであれば、どのような原理に基づくもの、どのような機関が運営するシステムを利用するものであってもよい。
【０１５９】
Ｄ１０．変形例１０：
上記実施例では、駅と駅の間の一つの区間に、一つの平均移動速度が割り当てられている。しかし、駅と駅の間の区間は、より細かい小区間に分けられていてもよい。そして、それらの区間ごとに平均移動速度や距離、移動に要する平均時間などの情報が割り当てられていてもよい。
【０１６０】
Ｄ１１．変形例１１：
上記実施例では、経路に列車の路線を含む例を説明した。しかし、本発明は、列車以外にも、路線バス、定期連絡船、航空機など様々な路線を経路に含む場合の経路案内に適用することができる。すなわち、経路に含まれる路線は、「時刻表にしたがって輸送手段が運行される路線」であればよい。
【０１６１】
ここで、「輸送手段」は、その運行予定と対応づけられた概念である。すなわち、「８時２１分に名古屋駅を出発し、東京方面に向かう列車」が「輸送手段」の例である。この場合、たとえば、「東海道新幹線」が「路線」の例である。
【０１６２】
また、上記実施例では、目的地に至る経路において、ユーザがある列車から他の列車に乗り換える態様について説明した。しかし、乗り換えは、列車からバス、徒歩から列車など、異なる種類の交通手段に乗り換える態様で行われてもよい。すなわち、経路案内システムは、「ユーザが次に乗るべき輸送手段」が出発する駅およびその出発時刻をユーザに示すことができるものであればよい。
【０１６３】
ここで、「ユーザが次に乗るべき輸送手段」とは、「現時点で利用している手段（たとえば、徒歩、自転車、自動車、または他の列車、船舶もしくは航空機など）をやめて、次に利用すべき輸送手段」を意味する。そして、「ユーザが次に乗るべき輸送手段」の前に利用する移動手段は、時刻表に従って運行されている必要はなく、たとえば、徒歩、自転車、自動車などであってもよい。また、それらの時刻表によらない移動手段を利用する場合にも、駅への到着時刻は、現在位置および経路情報に含まれる平均移動速度や平均所要時間に基づいて計算することができる。
【０１６４】
また、「輸送手段が出発する駅」とは、「輸送手段の始発駅」を限定的に意味するものではない。「輸送手段が出発する駅」とは、輸送手段がその駅よりも前に他の駅に止まったか否かを問わず、その駅からその輸送手段が出発する駅を意味する。すなわち、「輸送手段が出発する駅」は、「輸送手段が他の駅から到着し、その後、出発する駅」と「輸送手段の始発駅」との両方を含む概念である。
【０１６５】
Ｄ１２．変形例１２：
上記実施例においては、経路案内システムは、その構成要素として、経路探索サーバ１００と、地図サーバ１５０と、時刻表サーバ１７０と、運行管理サーバ１８０と、携帯電話２００と、を含む。しかし、ユーザが携帯し、ＧＰＳユニットおよびディスプレイを備える携帯端末に、経路探索サーバ１００、地図サーバ１５０の機能を備える態様とすることもできる。さらに、携帯端末に、時刻表サーバ１７０の機能を備えることもできる。また、経路探索サーバ１００と、地図サーバ１５０とは、同じサーバであってもよい。そして、時刻表サーバ１７０と、運行管理サーバ１８０とは、同じサーバであってもよい。
【０１６６】
すなわち、案内装置としての経路案内システムは、その各構成要素が一つの筐体内に収納されている一つの装置であってもよい。また、案内装置としての経路案内システムは、その構成要素が、互いにデータ通信回線で結ばれている２以上の装置として構成されるものとすることもできる。経路情報を生成する機能、地図情報を生成する機能などの各機能については、各装置に１以上の任意の機能を割り当てることができる。そして、各機能は、それぞれ一つの装置で実現されてもよく、２以上の装置が協働して実現してもよい。なお、２以上の構成要素が通信回線で結ばれている態様においては、ユーザに対して情報を出力する出力部は、ユーザに携帯されるものであることが好ましい。
【０１６７】
Ｄ１３．変形例１３：
本発明に係る案内装置は、たとえば、第１実施例の携帯電話２００のような携帯端末として把握することができる。そのような携帯端末は、処理に使用される各情報を外部から入手することによって準備する（図１の経路準備ユニット２３１、地図情報準備ユニット２３３参照）。
【０１６８】
たとえば、そのような携帯端末においては、主制御部は、経路情報を、外部のサーバ１００から入手することによって準備する（図１の経路情報準備ユニット２３１ａ参照）。また、主制御部は、駅への到着時刻近傍の時間におけるその駅の時刻表情報を、外部のサーバ１７０からサーバ１００を介して入手することによって準備する（同、時刻表準備ユニット２３１ｂ参照）。さらに、主制御部は、現在位置周辺の地図情報を、外部のサーバ１５０から入手することによって、準備する（同、地図情報準備ユニット２３３参照）。そして、主制御部は、路線の事故情報を、外部のサーバ１８０からサーバ１００を介して入手することによって、準備する（同、事故情報準備ユニット２３１ｃ参照）。すなわち、各情報を準備する機能は、携帯端末の主制御部の機能部が、通信部を制御して実現する。
【０１６９】
一方、本発明に係る案内装置は、たとえば、第１実施例の経路案内システム全体として把握することもできる。そのような案内装置においては、処理に使用される情報を、案内装置の各構成要素が自ら保持している情報に基づいて生成することができる。たとえば、全体の地図画像から現在位置周辺の地図画像を切り出す、図１の地図サーバ１５０がこれに相当する。また、処理に使用される情報を、外部から入手した情報と自ら保持している情報とに基づいて生成することができる。たとえば、経路探索サーバ１００や運行管理サーバ１８０がこれに相当する。さらに、処理に使用される情報を、案内装置の各構成要素が自ら保持していてもよい。
【０１７０】
Ｄ１４．変形例１４：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。例えば、アプリケーションソフトウェア２１２（図１）の機能の一部を制御回路が実行するようにすることもできる。
【０１７１】
このような機能を実現するコンピュータプログラムは、フロッピディスクやＣＤ−ＲＯＭ等の、コンピュータ読み取り可能な記録媒体に記録された形態で提供される。ホストコンピュータは、その記録媒体からコンピュータプログラムを読み取って内部記憶装置または外部記憶装置に転送する。あるいは、通信経路を介してプログラム供給装置からホストコンピュータにコンピュータプログラムを供給するようにしてもよい。コンピュータプログラムの機能を実現する時には、内部記憶装置に格納されたコンピュータプログラムがホストコンピュータのマイクロプロセッサによって実行される。また、記録媒体に記録されたコンピュータプログラムをホストコンピュータが直接実行するようにしてもよい。
【０１７２】
この明細書において、ホストコンピュータとは、ハードウェア装置とオペレーションシステムとを含む概念であり、オペレーションシステムの制御の下で動作するハードウェア装置を意味している。コンピュータプログラムは、このようなホストコンピュータに、上述の各部の機能を実現させる。なお、上述の機能の一部は、アプリケーションプログラムでなく、オペレーションシステムによって実現されていても良い。
【０１７３】
なお、この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【符号の説明】
【０１７４】
１１…ディスプレイ
１００…経路探索サーバ
１０２…通信部
１０４…制御部
１０６…記憶部
１５０…地図サーバ
１５２…通信部
１５４…制御部
１５６…地図データベース
１７０…サーバ
１７０…時刻表サーバ
１７２…通信部
１７４…制御部
１７６…時刻表データベース
１８０…運行管理サーバ
１８２…通信部
１８４…制御部
１８６…記憶部
２００…携帯電話
２０１…ＧＰＳユニット
２０２…表示パネル
２０３…音声出力部
２０４…振動機構
２０５…通信部
２０６…コマンド入力部
２０６ａ…テンキー
２０６ｂ…カーソルキー
２０９…時計部
２１０…主制御部
２１２…アプリケーションソフトウェア
２２０…通話制御部
ＡＰ…不通位置を示すアイコン
ＩＮＴ…インターネット
Ｉｃ１…トイレがあることを示すアイコン
Ｉｃ２…飲食店があることを示すアイコン
Ｌｒ２…Ｂ駅までの距離
Ｌｒ３…Ｃ駅までの距離
Ｌｒ４…Ｄ駅までの距離
Ｌｒ５…Ｅ駅までの距離
Ｌｒ６…目的地までの距離
ＰＤ…目的地を示すアイコン
ＰＰ…現在位置を示すアイコン
Ｓ０１〜Ｓ０７…区間
ＳＤ１，ＳＤ３，ＳＤ４…画像表示
ＳＰ…出発地を示すアイコン
Ｓｔｂ…出発駅
Ｓｔｄ…目的駅
Ｓｔｎ…経路において乗るべき列車が停車しない駅
Ｓｔｔ１，Ｓｔｔ２，Ｓｔｔ３…乗換駅
Ｓｔｓ１，Ｓｔｓ２…停車駅
Ｔａ４，Ｔａ５…到着予定時刻
Ｔｄ１１，Ｔｄ４１…乗るべき列車の出発時刻
Ｔｄ１２，Ｔｄ４２…代替列車の出発時刻
Ｌｒ２…Ｂ駅までの所要時間
Ｌｒ３…Ｃ駅までの所要時間
Ｌｒ４…Ｄ駅までの所要時間
Ｌｒ５…Ｅ駅までの所要時間
Ｌｒ６…目的地までの所要時間
Ｔｓ…駅への到着を予告する時間
【図１】
2012056576.tif 000003
【図２】
2012056576.tif 000004
【図３】
2012056576.tif 000005
【図４】
2012056576.tif 000006
【図５】
2012056576.tif 000007
【図６】
2012056576.tif 000008
【図７】
2012056576.tif 000009
【図８】
2012056576.tif 000010
【図９】
2012056576.tif 000011
【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
案内装置であって、
目的地に至る経路であって、時刻表にしたがって輸送手段が運行される路線を含む経路の位置を表す経路情報を準備する経路準備部と、
前記時刻表の情報である時刻表情報を準備する時刻表準備部と、
現在位置を表す現在位置情報を取得するための現在位置取得部と、
ユーザに携帯され、情報を出力することができる出力部と、
前記経路に含まれる前記路線においてユーザが次に乗るべき輸送手段が出発する第１の利用駅に前記ユーザが到着する第１の予想到着時刻を、前記現在位置情報と、前記経路情報とに基づいて計算し、前記第１の予想到着時刻と前記経路情報と前記時刻表情報とに基づいて、前記ユーザが次に乗るべき輸送手段が前記第１の利用駅を出発する第１の出発時刻を特定し、前記第１の利用駅および前記第１の出発時刻を前記出力部に出力させる時刻管理部と、を備え、
前記出力部は、画像を表示することができる表示部を備え、
前記経路準備部は、前記経路に含まれる前記路線において前記ユーザが次に乗るべき輸送手段が停まる停止駅と、前記停止駅が、改札内に所定の設備を有しているか否かと、を表す駅設備情報を含む前記経路情報を準備し、
前記時刻管理部は、前記駅設備情報に基づいて、複数の前記停止駅について、前記停止駅を表す表示とともに、前記停止駅が改札内に前記所定の設備を有している場合には、所定の表示を前記表示部に表示させる、案内装置。
【請求項２】
請求項１記載の案内装置であって、さらに、
少なくとも前記現在位置の周辺の地図を表す地図情報を準備する地図情報準備部を備え、
前記時刻管理部は、前記地図情報と、前記経路情報と、前記現在位置情報とに基づいて、前記現在位置が含まれる地図と、前記現在位置が含まれる前記経路の少なくとも一部の位置と、前記現在位置と、を重ねて前記表示部に表示する、案内装置。
【請求項３】
請求項１または２に記載の案内装置であって、
前記時刻管理部は、前記第１の出発時刻を前記出力部に出力させた後、
新たに取得された現在位置情報と前記経路情報とに基づいて、新たに前記第１の利用駅への第１の予想到着時刻を計算し、
前記新たに計算された第１の予想到着時刻と前記時刻表情報とに基づいて、前記ユーザが次に乗るべき輸送手段が前記第１の利用駅を出発する第１の出発時刻を新たに計算し、
前記新たな第１の出発時刻を前記出力部に出力させる、案内装置。
【請求項４】
請求項１ないし３のいずれかに記載の案内装置であって、
前記出力部によって前記第１の出発時刻が前記出力された後、前記現在位置と前記路線との少なくとも一方に関する所定の条件が満たされた場合に、
前記経路準備部は、新たに取得された現在位置情報に基づく現在位置から目的地まで移動するための経路であって、前記路線を含む経路の位置を表す経路情報を新たに準備し、
前記時刻管理部は、
前記新たな経路情報の経路に含まれる路線においてユーザが次に乗るべき輸送手段が出発する新たな第１の利用駅に前記ユーザが到着する新たな第１の予想到着時刻を、前記新たな現在位置情報と前記新たな経路情報とに基づいて計算し、
前記新たな第１の予想到着時刻と前記新たな経路情報と前記時刻表情報とに基づいて、前記ユーザが次に乗るべき輸送手段が前記新たな第１の利用駅を出発する新たな第１の出発時刻を特定し、
前記新たな第１の利用駅および前記新たな第１の出発時刻を前記出力部に出力させる、案内装置。
【請求項５】
請求項１記載の案内装置であって、
前記時刻管理部は、
前記第１の出発時刻よりも後に前記第１の利用駅を出発する輸送手段であって、前記ユーザが次に乗るべき前記輸送手段の代替となりうる輸送手段の前記第１の利用駅からの出発時刻である第１の代替出発時刻を、前記第１の出発時刻と前記経路情報と前記時刻表情報とに基づいて計算し、
前記第１の代替出発時刻を前記第１の出発時刻とともに前記表示部に表示させ、
前記第１の出発時刻を前記第１の代替出発時刻よりも強調して表示させる、案内装置。
【請求項６】
請求項１記載の案内装置であって、
前記時刻管理部は、
前記第１の利用駅から前記ユーザが乗るべき前記輸送手段が、前記経路において乗り換えのためにユーザが降りるべき第２の利用駅に到着する第２の予想到着時刻を、前記現在位置情報と、前記経路情報とに基づいて計算し、
前記第２の予想到着時刻と前記経路情報と前記時刻表情報とに基づいて、前記ユーザが乗り換えるべき輸送手段が前記第２の利用駅を出発する第２の出発時刻を特定し、
前記第２の利用駅および前記第２の出発時刻を前記出力部に出力させる、案内装置。
【請求項７】
請求項６記載の案内装置であって、
前記時刻管理部は、前記第１の利用駅と前記第２の利用駅の間にある駅であって前記ユーザが次に乗るべき前記輸送手段が止まらない駅を表示せず、前記第１の出発時刻とともに前記第１の利用駅を前記表示部に表示し、前記第２の出発時刻とともに前記第２の利用駅を前記表示部に表示する、案内装置。
【請求項８】
出発地から目的地まで移動するための案内方法であって、
（a）目的地に至る経路であって、時刻表にしたがって輸送手段が運行される路線を含む経路の位置を表す経路情報を準備する工程と、
（b）前記時刻表の情報である時刻表情報を準備する工程と、
（c）現在位置を表す現在位置情報を取得する工程と、
（d）前記経路に含まれる前記路線においてユーザが次に乗るべき輸送手段が出発する第１の利用駅に前記ユーザが到着する第１の予想到着時刻を、前記現在位置情報と、前記経路情報とに基づいて計算し、前記第１の予想到着時刻と前記経路情報と前記時刻表情報とに基づいて、前記ユーザが次に乗るべき輸送手段が前記第１の利用駅を出発する第１の出発時刻を特定し、前記第１の利用駅および前記第１の出発時刻を、前記ユーザに知らせる工程と、を備え、
前記工程（a）は、前記経路に含まれる前記路線において前記ユーザが次に乗るべき輸送手段が停まる停止駅と、前記停止駅が、改札内に所定の設備を有しているか否かと、を表す駅設備情報を含む前記経路情報を準備する工程を含み、
前記工程（d）は、前記駅設備情報に基づいて、画像を表示することができる表示部に、複数の前記停止駅について、前記停止駅を表す表示とともに、前記停止駅が改札内に前記所定の設備を有している場合には、所定の表示をする工程を含む、方法。
【請求項９】
出発地から目的地まで移動するためのコンピュータプログラムであって、
ユーザに携帯され情報を出力することができる出力部と、現在位置を表す現在位置情報を取得するための現在位置取得部と、前記出力部および前記現在位置取得部を制御する制御部と、を備える案内装置において実行されることによって、
目的地に至る経路であって、時刻表にしたがって輸送手段が運行される路線を含む経路の位置を表す経路情報を準備する機能と、
前記時刻表の情報である時刻表情報を準備する機能と、
前記経路に含まれる前記路線においてユーザが次に乗るべき輸送手段が出発する第１の利用駅に前記ユーザが到着する第１の予想到着時刻を、前記現在位置情報と、前記経路情報とに基づいて計算し、前記第１の予想到着時刻と前記経路情報と前記時刻表情報とに基づいて、前記ユーザが次に乗るべき輸送手段が前記第１の利用駅を出発する第１の出発時刻を特定し、前記第１の利用駅および前記第１の出発時刻を、前記ユーザに知らせる機能と、を案内装置に実現させることができ、
前記経路情報を準備する機能は、前記経路に含まれる前記路線において前記ユーザが次に乗るべき輸送手段が停まる停止駅と、前記停止駅が、改札内に所定の設備を有しているか否かと、を表す駅設備情報を含む前記経路情報を準備する機能を含み、
前記第１の利用駅および前記第１の出発時刻を、前記ユーザに知らせる機能は、前記駅設備情報に基づいて、前記出力部に含まれ画像を表示することができる表示部に、複数の前記停止駅について、前記停止駅を表す表示とともに、前記停止駅が改札内に前記所定の設備を有している場合には、所定の表示をする機能を含む、コンピュータプログラム。
【手続補正２】
【補正対象書類名】明細書
【補正対象項目名】０００６
【補正方法】変更
【補正の内容】
【０００６】
本願に係る発明は、時刻表にしたがって運行している交通システムを利用して目的地に向かう際のユーザの利便性を向上させることを目的とする。
上記目的を達成するために、本発明は、その一態様として、以下のような構成を備える案内装置を採用する。この案内装置は、
目的地に至る経路であって、時刻表にしたがって輸送手段が運行される路線を含む経路の位置を表す経路情報を準備する経路準備部と、
前記時刻表の情報である時刻表情報を準備する時刻表準備部と、
現在位置を表す現在位置情報を取得するための現在位置取得部と、
ユーザに携帯され、情報を出力することができる出力部と、
前記経路に含まれる前記路線においてユーザが次に乗るべき輸送手段が出発する第１の利用駅に前記ユーザが到着する第１の予想到着時刻を、前記現在位置情報と、前記経路情報とに基づいて計算し、前記第１の予想到着時刻と前記経路情報と前記時刻表情報とに基づいて、前記ユーザが次に乗るべき輸送手段が前記第１の利用駅を出発する第１の出発時刻を特定し、前記第１の利用駅および前記第１の出発時刻を前記出力部に出力させる時刻管理部と、を備える。
前記出力部は、画像を表示することができる表示部を備える。
前記経路準備部は、前記経路に含まれる前記路線において前記ユーザが次に乗るべき輸送手段が停まる停止駅と、前記停止駅が、改札内に所定の設備を有しているか否かと、を表す駅設備情報を含む前記経路情報を準備する。
前記時刻管理部は、前記駅設備情報に基づいて、複数の前記停止駅について、前記停止駅を表す表示とともに、前記停止駅が改札内に前記所定の設備を有している場合には、所定の表示を前記表示部に表示させる。
【手続補正３】
【補正対象書類名】明細書
【補正対象項目名】００６３
【補正方法】変更
【補正の内容】
【００６３】
Ａ２．経路案内：
図２は、経路案内を行う際の携帯電話２００、経路探索サーバ１００、時刻表サーバ１７０、運行管理サーバ１８０の情報のやりとりを示すチャートである。携帯電話２００は、まず、ステップＳ１０５で、コマンド入力部２０６を介してユーザから出発地、経由地、目的地、検索条件などの入力を受けとる。そして、ユーザからルート検索の指示を受け取る。
【手続補正４】
【補正対象書類名】明細書
【補正対象項目名】０１７５
【補正方法】変更
【補正の内容】
【０１７５】
１００…経路探索サーバ
１０２…通信部
１０４…制御部
１０６…記憶部
１５０…地図サーバ
１５２…通信部
１５４…制御部
１５６…地図データベース
１７０…サーバ
１７０…時刻表サーバ
１７２…通信部
１７４…制御部
１７６…時刻表データベース
１８０…運行管理サーバ
１８２…通信部
１８４…制御部
１８６…記憶部
２００…携帯電話
２０１…ＧＰＳユニット
２０２…表示パネル
２０３…音声出力部
２０４…振動機構
２０５…通信部
２０６…コマンド入力部
２０６ａ…テンキー
２０６ｂ…カーソルキー
２０９…時計部
２１０…主制御部
２１２…アプリケーションソフトウェア
２２０…通話制御部
ＡＰ…不通位置を示すアイコン
ＩＮＴ…インターネット
Ｉｃ１…トイレがあることを示すアイコン
Ｉｃ２…飲食店があることを示すアイコン
Ｌｒ２…Ｂ駅までの距離
Ｌｒ３…Ｃ駅までの距離
Ｌｒ４…Ｄ駅までの距離
Ｌｒ５…Ｅ駅までの距離
Ｌｒ６…目的地までの距離
ＰＤ…目的地を示すアイコン
ＰＰ…現在位置を示すアイコン
Ｓ０１〜Ｓ０７…区間
ＳＤ１，ＳＤ３，ＳＤ４…画像表示
ＳＰ…出発地を示すアイコン
Ｓｔｂ…出発駅
Ｓｔｄ…目的駅
Ｓｔｎ…経路において乗るべき列車が停車しない駅
Ｓｔｔ１，Ｓｔｔ２，Ｓｔｔ３…乗換駅
Ｓｔｓ１，Ｓｔｓ２…停車駅
Ｔａ４，Ｔａ５…到着予定時刻
Ｔｄ１１，Ｔｄ４１…乗るべき列車の出発時刻
Ｔｄ１２，Ｔｄ４２…代替列車の出発時刻
Ｌｒ２…Ｂ駅までの所要時間
Ｌｒ３…Ｃ駅までの所要時間
Ｌｒ４…Ｄ駅までの所要時間
Ｌｒ５…Ｅ駅までの所要時間
Ｌｒ６…目的地までの所要時間
Ｔｓ…駅への到着を予告する時間
【手続補正５】
【補正対象書類名】図面
【補正対象項目名】図８
【補正方法】変更
【補正の内容】
【図８】
2012056576.tif 000012